(57)【要約】【課題】比較的厚手に構成されたクリアファイルをリングファイルなどに綴じ込めるようにするとともに、リングファイルへの綴じ込み枚数を多くできるようにし、しかも、リングファイルへ綴じ込まない状態で使用する場合にも不便を来さないようなクリアファイルを提供する。【解決手段】上辺部１と第一の側辺部３に連続する逆Ｌ字状の開口部６を設けた厚手のクリアファイル１０において、第一の側辺部３や第二の側辺部４の外側にリングファイルのリングに綴じ込むための綴り孔７２を有する突出片７を設ける。また、突出片７を設ける場合、クリアファイル本体１０ａから自由に取り外しできるようにし、もしくは、クリアファイル本体１０ａを構成する表面５ａや裏面５ｂと一体的に設けるようにする。【選択図】図１
2008132645.tif 000002
【特許請求の範囲】
【請求項１】
上辺部と左右いずれかの側辺部に連続した開口部を設け、当該開口部から書類を収納できるようにしたクリアファイルにおいて、
左右いずれかの側辺部の外側にリングファイルのリングに綴じ込むための綴孔を有する突出片を設けたことを特徴とするクリアファイル。
【請求項２】
前記突出片が、着脱可能に取り付けられていることを特徴とする請求項１に記載のクリアファイル。
【請求項３】
前記突出片が、表面もしくは裏面を構成するシートと一体に形成されるものである請求項１に記載のクリアファイル。
【請求項４】
上辺部と左右いずれかの第一の側辺部に連続した開口部を設けるとともに、下辺部および前記第一の側辺部と反対側の第二の側辺部を綴じ込み、前記上辺部と第一の側辺部の開口部から書類を収納できるようにしたクリアファイルにおいて、
前記第二の側辺部の中央部に切り込み部を設け、当該切り込み部に、リングファイルのリングに綴じ込むための綴孔を有する突出片を挿入して取り付けるようにしたことを特徴とするクリアファイル。
【請求項５】
上辺部と左右いずれかの第一の側辺部に連続した開口部を設けるとともに、下辺部および前記第一の側辺部と反対側の第二の側辺部を綴じ込み、前記上辺部と第一の側辺部の開口部から書類を収納できるようにしたクリアファイルにおいて、
一枚のシートに、表面と、裏面と、当該表面もしくは裏面側へ折り込み可能に設けられた折り込み部と、当該折り込み部と一体に設けられ、リングファイルのリングに綴じ込むための綴じ孔を有する突出片とを設け、前記折り込み部を表面と裏面との間に折り込むことにより袋部を形成するとともに、前記突出片を第二の側辺部に設けられた切り込み部から突出させるようにしたことを特徴とするクリアファイル。
【発明の詳細な説明】
【技術分野】
【０００１】
本発明は、上辺部と側辺部に連続したＬ字状の開口部を有するクリアファイルに関するもので、より詳しくは、リングファイルのリング金具に綴じ込めることができるようにしたクリアファイルに関するものである。
【背景技術】
【０００２】
従来から、書類を挟み込んで収納できるようにしたクリアファイルとして、下記の特許文献１に示すようなものが存在する。
【０００３】
まず、特許文献１に示されるクリアファイルを図１０に説明すると、この文献に記載されるクリアファイル１００は、比較的厚手に構成された樹脂製シートを折り曲げて背部分（第二の側辺部）１０４を構成し、その下辺部分１０２を溶着することによって上辺部１０１と他の側辺部（第一の側辺部）１０３とを開口させるようにしたものである。そして、このように開口部を逆Ｌ字状にすることによって、書類の収納や取り出し動作を簡単に行えるようにするとともに、また、シート自体を厚手に構成することによって、書類をブックスタンドに立てた状態であっても、書類の腰をしっかりと維持させるようにさせたものである。このようなクリアファイルは、収納や取り出し動作の利便性や腰の強さなどから、近年、企業などで多く使用され、また、ノベルティ商品として多く配布されるようになってきている。
【０００４】
また、比較的薄手のナイロンによって構成されたクリアファイルとして、下記の特許文献２に示すようなものが存在する。
【０００５】
この薄手のクリアファイルについて図１１を用いて説明すると、薄手のクリアファイル２００は、透明な薄手のナイロンなどによって構成されるものであって、折り曲げによって形成された第一の側辺部２０３と、溶着によって形成された第二の側辺部２０４および下辺部２０２とを設けて上辺部２０１を開口させ、また、溶着された第二の側辺部２０４に、リング金具に綴じ込めるようにした綴じ孔２０５を設けるようにしたものである。このような薄手のクリアファイル２００では、ナイロン自体が薄手に構成されているため、比較的嵩張らず、しかも、リングファイルに書類を綴じ込めて整理することができるというメリットがある。
【特許文献１】特開平１０−７１７９３号公報
【特許文献２】特開２００２−１３７５８６号公報
【発明の開示】
【発明が解決しようとする課題】
【０００６】
ところで、このようなクリアファイルのうち、厚手に構成されたクリアファイルは、リング金具に綴じ込めるための綴じ孔を設けていないため、リングファイルに綴じ込めて整理することができない。また、このような厚手のクリアファイルに綴じ孔を設けることを考えた場合、薄手のクリアファイルと同様に、溶着された第二の側辺部などに綴じ孔を設けようとすると、綴じ孔部分の厚みが増してしまい、リングファイルに綴じ込める枚数が減ってしまう。さらには、逆Ｌ字状に開口した厚手のクリアファイルをリングファイルに綴じ込めた場合、その逆Ｌ字状に開口した部分から書類が抜け落ちてしまう可能性があるため、何らかの方法によって書類の抜け落ちを防止しなければならない。また、このような厚手のクリアファイルは、クリアファイル本体のみとして鞄内やトレーなどに仕舞うことが多いが、綴り孔を有する突出部分を設けていると、その突出部分が邪魔なものになってしまう可能性もある。
【０００７】
そこで、本発明は上記課題を解決するために、比較的厚手に構成されたクリアファイルをリングファイルなどに綴じ込めるようにするとともに、リングファイルへの綴じ込み枚数を多くできるようにし、しかも、リングファイルへ綴じ込まない状態で使用する場合にも不便を来さないようなクリアファイルを提供することを目的とする。
【課題を解決するための手段】
【０００８】
すなわち、本発明のクリアファイルは上記課題を解決するために、上辺部と左右いずれかの側辺部に連続した開口部を設け、当該開口部から書類を収納できるようにしたクリアファイルにおいて、左右いずれかの側辺部の外側にリングファイルのリングに綴じ込むための綴孔を有する突出片を設けるようにしたものである。
【０００９】
また、このような発明において、突出片をクリアファイル本体から着脱できるように構成する。
【００１０】
このようにすれば、従来から販売されている比較的厚手のクリアファイルに突出片を取り付けるだけで、リングファイルに綴じ込むようにすることができ、リングファイルに綴じ込まないで使用する場合には、その突出片を取り外して使用すれば、クリアファイルの幅を大きくしないで持ち運びやトレーなどへ保管することができる。
【００１１】
さらには、このような突出片を、表面もしくは裏面を構成するシートと一体に形成するようにする。
【００１２】
このように構成すれば、表面もしくは裏面の一部として突出片を設けることができ、突出片を簡単に構成することができるようになる。また、表面もしくは裏面から連続して一枚の突出片を設けることができるので、突出片の厚みを薄くして、リングファイルへの綴じ込み量を多くすることができるようになる。
【００１３】
また、別の発明では、上辺部と左右いずれかの第一の側辺部に連続した開口部を設けるとともに、下辺部および前記第一の側辺部と反対側の第二の側辺部を綴じ込み、前記上辺部と第一の側辺部の開口部から書類を収納できるようにしたクリアファイルにおいて、前記第二の側辺部の中央部に切り込み部を設け、当該切り込み部に、リングファイルのリングに綴じ込むための綴孔を有する突出片を挿入して取り付けるようにする。
【００１４】
また、平面状に構成された一枚のシートに、表面と、裏面と、当該表面もしくは裏面側へ折り込み可能に設けられた折り込み部と、当該折り込み部に設けられ、リングファイルのリングに綴じ込むための綴じ孔を有する突出片とを設け、前記折り込み部を表面と裏面との間に折り込むことにより袋部を形成するとともに、前記突出片を第二の側辺部に設けられた切り込み部から突出させるようにすることもできる。
【発明の効果】
【００１５】
本発明によれば、比較的厚手に構成されたクリアファイルをリングファイルなどに綴じ込めることができ、しかも、リングファイルへ綴じ込める場合に、綴じ込み枚数を多くすることができるようになる。また、リングファイルへ綴じ込まずにクリアファイル本体だけで使用するような場合にも持ち運びやトレーなどの収納に不便を来さないようにすることができる。
【発明を実施するための最良の形態】
【００１６】
以下、本発明の一実施の形態について図面を参照して説明する。この実施の形態におけるクリアファイルは、ポリプロピレン（ＰＰ）などのシートを折り曲げて加工することでＡ４サイズなどの規定の書類を収納できるようにしたものであり、上辺部と左右いずれか一方の側辺部（以下、「第一の側辺部」という）に逆Ｌ字状に連続した開口部を設け、また、他方の側辺部（以下、「第二の側辺部」という）に折り込み部を、また、下辺部に溶着部を設けるようにしたものである。そして、特徴的に、この発明におけるクリアファイルは、これらの側辺部にリングファイルに綴じ込めるための綴じ孔を有する突出片を設けるようにしている。以下、本発明におけるクリアファイルの実施の形態について説明する。
【００１７】
＜第一の実施の形態＞
【００１８】
まず、第一の実施の形態におけるクリアファイルを図１に示す。この実施の形態におけるクリアファイル１０は、平均的な厚み０．２ｍｍ〜０．３ｍｍ程度に構成された透明な一枚のシートを折り曲げて表面５ａと裏面５ｂを有するように加工されたクリアファイル本体１０ａと、このクリアファイル本体１０ａに取り付けられる突出片７とを備えて構成される。このクリアファイル本体１０ａは、シートを折り曲げることによって背部分となる第二の側辺部４を設け、下辺部２をほぼ全体にわたって溶着することにより、第二の側辺部４に対向した第一の側辺部３と上辺部１に連続した逆Ｌ字状の開口部６を設けるようにしたものである。そして、特徴的には、この第一の実施の形態では、第二の側辺部４から突出片７を突出させ、この突出片７にリングファイルのリング金具に綴じ込めるようにした綴じ孔７２を設けるようにしている。
【００１９】
この実施の形態において、突出片７は、クリアファイル本体１０ａにおける第二の側辺部４から突出する突出部７０と、クリアファイル本体１０ａにおける表面５ａもしくは裏面５ｂ側に取り付けられるベース部７１とを設けて構成されるもので、クリアファイル本体１０ａと同じ素材、もしくは、もう少し硬度の有する可撓性材料を用いて一体的に構成される。その突出部７０における中央部分には、上下方向にわたってリングファイルのリング金具に取り付けられるための綴じ孔７２が設けられており、この綴じ孔７２をリング金具に綴じ込めることによって、リングファイルにクリアファイル本板１０ａを綴じ込められるようにしている。一方、ベース部７１は、前記突出部７０よりも上下方向にわたった幅が比較的広く構成されており、その突出した両端部をクリアファイル本体１０ａのスリット１３に挿入できるようにしている。このスリット１３は、クリアファイル本体１０ａの表面５ａもしくは裏面５ｂに水平方向わたって設けられており、ここにベース部７１の両端部を挿入することによって、突出片７の抜けを防止するようにしている。なお、このスリット１３に挿入されるベース部７１は、そのスリット１３の存在する面に内側から接着されるようにしてもよく、もしくは、その面に接着することなく自由にスリットから取り外しできるようにしておいてもよい。クリアファイル本体１０ａに接着した場合は、突出片７とクリアファイル本体１０ａとを強固に結合させることができ、多くの書類を収納した場合であっても、その重みに耐えることができる。一方、クリアファイル本体１０ａから自由に取り外しできるようにした場合は、クリアファイル本体１０ａのみを持ち運びする場合やトレーに重ねて収納するような場合であっても、その突出片７が邪魔になるようなことがなくなる。
【００２０】
ところで、この実施の形態におけるクリアファイル１０は、開口部６と反対側をリング金具に綴じ込めるようにしているため、書類をリングファイルに収納した際には、この開口部６から書類が抜け落ちてしまう可能性がある。このため、この実施の形態では、このような書類の抜けを防止するために、第一の側辺部３の下端部分と上辺部１の左側端部を溶着して係止部１４を設け、この係止部１４によって書類を引っ掛けて抜け落ちないようにしている。
【００２１】
なお、図１においては、凸状をなす一枚の突出片７をクリアファイル本体１０ａに挿入して取り付けるようにしているが、図２に示すように、Ｈ型をなす突出片７ａを中央で折り曲げてクリアファイル本体１０ａに取り付けるようにしてもよい。このＨ型をなす突出片７ａは、図１における突出片７が対称となるように一体に形成したもので、その中央部分を折り曲げることによってクリアファイル本体１０ａの表面５ａ側と裏面５ｂ側にベース部７１を挿入できるようにしたものである。このような構成を用いれば、表面５ａ側と裏面５ｂ側からクリアファイル本体１０ａを保持することができるため、安定してリングファイルに綴じ込むことができるようになる。
【００２２】
＜第二の実施の形態＞
【００２３】
次に、第二の実施の形態におけるクリアファイルについて図３および図４を用いて説明する。この実施の形態におけるクリアファイル１０は、第一の実施の形態と同様に、クリアファイル本体１０ｂと突出片７ｂとからなるもので、クリアファイル本体１０ｂに突出片７ｂを取り付けて構成したものである。なお、この実施の形態において、第一の実施の形態と同じ構成を有するものは、同じ符号を付して説明する。
【００２４】
この実施の形態におけるクリアファイル本体１０ｂは、第一の実施の形態におけるクリアファイル本体１０ａと同様に、平均的な厚み０．２ｍｍ程度に構成された透明な一枚のシートを折り曲げて加工したもので、その折り曲げられて構成された第二の側辺部４と、ほぼ全体が溶着された下辺部２とを設け、また、上辺部１と第一の側辺部３に連続した開口部６を設けるようにしたものである。そして、この第二の実施の形態において、特徴的には、第二の側辺部４の中央部に切り込み部１３ａを設け、その切り込み部１３ａに内側から突出片７ｂを挿入させて突出部７０を突出させるようにしている。
【００２５】
この突出片７ｂは、図１における突出片７と同じものであり、突出部７０とベース部７１を設けてなるものであり、切り込み部１３ａの長さを突出部７０の上下方向の長さとほぼ同じにして、突出部７０のみを突出させるようにしている。そして、ベース部７１をクリアファイル本体１０ｂの表面５ａと裏面５ｂとの間に挟み込み、これらの表面５ａもしくは裏面５ｂのいずれか一方に接着させるようにするか、もしくは、クリアファイル本体１０ｂに接着することなく、クリアファイル本体１０ｂから自由に取り外しできるようにしてもよい。ただし、自由に取り外しできるようにすると、リングファイルに綴じ込んでいない状態で突出片７ｂがクリアファイル本体１０ｂの中に抜け落ちてしまう可能性がある。このため、好ましくは、抜けを防止するための爪部７３を設けるようにするとよい。この爪部７３は、突出部７０の両端に設けられるもので、ベース部７１との間で第二の側辺部４を挟み込めるようにしたものである。このような爪部７３を設ければ、一旦突出片７ｂを取り付けた後は簡単に抜け落ちるようなことがなくなる。
【００２６】
なお、この実施の形態においても、図２に示された突出片７ａを折り込み、クリアファイル本体１０ｂの内側から挿入して取り付けるようにすることもできる。
【００２７】
＜第三の実施の形態＞
【００２８】
次に、第三の実施の形態におけるクリアファイルについて図４および図５を用いて説明する。
【００２９】
このクリアファイル１０は、図５に示されるように、一枚のシートを加工してクリアファイル本体１０ｃと突出片７ｃとを一体的に有するように構成したもので、一枚のシートを切り込み加工することによって、表面５ａと、裏面５ｂと、当該表面５ａ側へ折り込み可能に設けられた折り込み部７４と、綴じ孔７２を有する突出片７ｃとを設ける。このうち、表面５ａと裏面５ｂとは、第二の側辺部４を折り込むことによって重ね合わされるように構成され、また、折り込み部７４は、表面５ａもしくは裏面５ｂ側から折り込むことによって、表面５ａと裏面５ｂとの間に挟み込まれるように構成される。この折り込み部７４には、綴じ孔７２を設けた突出片７ｃが一体的に設けられており、また、表面５ａと裏面５ｂの境界部分（第二の側辺部４）には、この突出片７ｃを外側へ突出させるための切り込み部１３ａが設けられる。そして、折り込み部７４を表面５ａと裏面５ｂとの間に折り込み、突出片７ｃを切り込み部１３ａから突出させるとともに、折り込み部７４における第一の側辺部３を裏面５ｂと溶着することにより、図４に示すように、内側に袋部Ｐを有するクリアファイルが形成される。
【００３０】
このように構成すれば、袋部Ｐを構成するための折り込み部７４と突出片７ｃとが一体的に構成されるため、リングファイルの綴じ込んだ場合であっても、書類をしっかりと保持することができるようになる。また、表面５ａは開閉可能に構成されているため、書類の収納を一段と簡単に行わせることができるようになる。
【００３１】
なお、この実施の形態においては、折り込み部７４を表面５ａもしくは裏面５ｂの下辺部２側に設けて折り返すようにしているが、これに限らず、表面５ａもしくは裏面５ｂの側方に折り込み部を設けて、これを内側に折り返すようにしてもよい。この場合、下辺部２を溶着することによって袋部Ｐが形成されることになる。
【００３２】
＜第四の実施の形態＞
【００３３】
次に、第四の実施の形態について、図６および図７を用いて説明する。この実施の形態におけるクリアファイル１０は、クリアファイル本体１０ｄと突出片７ｄとを一枚のシートによって形成するようにしたものである。
【００３４】
この実施の形態におけるクリアファイル１０は、長方形状に構成された一枚の厚手シートの中央部分に第二の側辺部４となる折り込みを設けるとともに、その中央部分に、折り込みを有さず、しかも、表面５ａもしくは裏面５ｂ側に向けてコの字状に切り込んだ切り込み部１３ｂを設ける。そして、このように切り込み部１３ｂや折り込みを設けた後、その中央部分を折り込むことによって表裏を重ね合わせ、その後、下辺部２を溶着させる。このとき、コの字状に切り込まれた部分は折り込まれることなく、図６に示すように、第二の側辺部４から突出するようになる。そして、この突出片７ｄに、穿孔機などを用いて綴じ孔７２を設けるようにする。
【００３５】
このようにすれば、従来の製造工程を大幅に変更することなく、コの字状の切り込み部１３ｂを設けるだけで突出片７ｄを設けることができるようになる。
【００３６】
また、この実施の形態では、第一の実施の形態などと同様に、開口部６から書類が抜け落ちてしまう可能性があるため、図１に示すように、第一の側辺部３の下端や上辺部１の左端部を小さく溶着して係止部１４を設けるようにすることもできる。
【００３７】
＜第五の実施の形態＞
【００３８】
次に、第五の実施の形態におけるクリアファイルについて説明する。この実施の形態におけるクリアファイル１０は、図８に示されるように、クリアファイル本体１０ｅと突出片７ｅとを一体的に設けたものであり、一枚の厚手シートを折り曲げることによって第二の側辺部４を形成し、この第二の側辺部４を上下方向に沿って溶着することによって突出片７ｅを設けるようにしたものである。このクリアファイル１０を形成する場合、第一〜第四の実施の形態で使用されるシートよりも若干大きめのシートが用いられ、突出片７ｅを一体的に設けた場合であって、クリアファイル本体１０ｅに収納できる書類のサイズを規定サイズに保てるようにしている。
【００３９】
なお、この実施の形態においても、開口部６と反対側の第二の側辺部４を綴じ込むようにすると、リングファイルに綴じ込んだ場合、開口部６から書類が抜け落ちてしまう可能性がある。このため、図１に示すように、第一の側辺部３と上辺部１に小さな係止部１４を設けるか、もしくは、第一の側辺部３側からの抜けを防止するための袋部を形成するようにしてもよい。
＜第六の実施の形態＞
【００４０】
次に、第六の実施の形態におけるクリアファイル１０について図９を用いて説明する。上記第一〜第五の実施の形態におけるクリアファイル１０は、第二の側辺部４側に突出片７〜７ｅを設けるようにしているが、この第六の実施の形態では、第一の側辺部３側に突出片７ｆを設けるようにしたものである。
【００４１】
この実施の形態では、略長方形状に構成された厚手のシートを、中央から少しずらして折り込み、表面５ａもしくは裏面５ｂ側のいずれか一方のシートを他方の面から若干突出させるようにする。そして、この突出させた部分に綴じ孔７２を設けて突出片７ｆを構成する。
【００４２】
このようにすれば、開口部６側が綴じ側となるため、リングファイルに綴り込んだ場合であっても、開口部６から書類が抜ける心配がなくなる。また、この実施の形態では、表面５ａもしくは裏面５ｂのいずれか一方を突出させて突出片７ｆを構成するようにしたので、突出片７ｆの厚みが薄くなり、リング金具に綴じ込む枚数を多くすることができるようになる。しかも、上辺部１と第一の側辺部３とを逆Ｌ字状に開口させているため、書類の出し入れを容易に行わせるようにすることができる。
【００４３】
上述のように、各種実施の形態によれば、上辺部１と第一の側辺部３に連続する逆Ｌ字状の開口部６を設けた厚手のクリアファイル１０において、第一の側辺部３や第二の側辺部４の外側にリングファイルのリングに綴じ込むための綴り孔７２を有する突出片７〜７ｆを設けるようにしたので、書類の出し入れに支障を来すことなく、しかも、リングファイルにクリアファイル１０を綴じ込むことができるようになる。
【００４４】
しかも、第一の実施の形態や、第二の実施の形態のように、突出片７、７ａをクリアファイル本体から取り外しできるようにすれば、リングファイルに綴じ込まない状態で使用する場合には、クリアファイル本体１０ａ、１０ｂだけで使用することができ、持ち運びやトレーなどへの保管に支障を来すようなことがなくなる。
【００４５】
さらには、第三の実施の形態から第六の実施の形態のように、突出片７ｃ〜７ｆを、クリアファイル本体１０ｃ〜１０ｆと一体に設けるようにした場合には、製造工程で簡単に突出片７ｃ〜７ｆを形成することができるようになる。また、表面５ａもしくは裏面５ｂから連続して一枚の突出片７ｃ、７ｄ、７ｆを設けるようにした場合には、突出片７ｃ、７ｄ、７ｆの厚みを薄くして、リングファイルへの綴じ込み量を多くすることができるようになる。
【００４６】
なお、本発明は上記実施の形態に限定されることなく、種々の態様で実施できる。
【００４７】
例えば、上記実施の形態では、突出片７〜７ｆに２つの綴じ孔７２を設けるようにしたが、これに限らず、３つ以上の綴じ孔を設けるようにしてもよい。また、例えば、Ｂ５版リングファイルの場合は２６孔、Ａ４版リングファイルの場合は３６孔などように、リング金具全体に綴じ孔７２を設けるようにしてもよい。
【００４８】
また、上記実施の形態で突出片７〜７ｆを着脱可能に設ける場合、スリット１３や切り込み部１３ａ、１３ｂに挿入するだけの構成としていたが、比較的剥がしやすい接着剤や両面テープなどを用いて着脱可能に接着するようにしてもよい。
【図面の簡単な説明】
【００４９】
【図１】本発明の第一の実施の形態におけるクリアファイルを示す図。
【図２】本発明の第一の実施の形態における他の突出片を示す図。
【図３】本発明の第二の実施の形態におけるクリアファイルを示す図。
【図４】本発明の第三の実施の形態におけるクリアファイルを示す図。
【図５】本発明の第三の実施の形態におけるクリアファイルの展開図。
【図６】本発明の第四の実施の形態におけるクリアファイルを示す図。
【図７】本発明の第四の実施の形態におけるクリアファイルの展開図。
【図８】本発明の第五の実施の形態におけるクリアファイルを示す図。
【図９】本発明の第六の実施の形態におけるクリアファイルを示す図。
【図１０】従来例における厚手のクリアファイルを示す図
【図１１】従来例における薄手のクリアファイルを示す図
【符号の説明】
【００５０】
１  上辺部
２  下辺部
３  第一の側辺部
４  第二の側辺部
５ａ  表面
５ｂ  裏面
６  開口部
７、７ａ、７ｂ、７ｃ  ７ｄ、７ｅ、７ｆ  突出片
７０  突出部
７１  ベース部
７２  綴り孔
７３  爪部
７４  折り込み部
１０  クリアファイル
１０ａ、１０ｂ、１０ｃ  １０ｄクリアファイル本体
１３  スリット
１３ａ、１３ｂ  切り込み部
１４  係止部
１００、２００  従来のクリアファイル
１０１、２０１  上辺部
１０２、２０２０  下辺部
１０３、２０３  第一の側辺部
１０４、２０４  第二の側辺部
１０５ａ、２０５ａ  表面部
１０５ｂ、２０５ｂ  裏面部
１０６  開口部
【図１】
2008132645.tif 000003
【図２】
2008132645.tif 000004
【図３】
2008132645.tif 000005
【図４】
2008132645.tif 000006
【図５】
2008132645.tif 000007
【図６】
2008132645.tif 000008
【図７】
2008132645.tif 000009
【図８】
2008132645.tif 000010
【図９】
2008132645.tif 000011
【図１０】
2008132645.tif 000012
【図１１】
2008132645.tif 000013